(57)【要約】      （修正有）【課題】プレイヤーがグリーンに向かう際、ボール拭き布をゴルフカートに置忘れることを防ぎ、ボールを拭く作業やボール拭き布の取扱いを簡単にする。【解決手段】着脱式ゴルフボールクリーナー１０は、パターシャフトＳに対し極めて簡単に着脱できるホルダー１を備えており、持ち運ぶ時や、ゴルフカートに付帯するパター収納ケースにパター２０を収納する際など、扱い易いよう取付け方法や取付け位置を考慮したものである。【選択図】図１
0003140889.tif 000002
【実用新案登録請求の範囲】
【請求項１】
ゴルフボールの汚れを拭くための布と、その布を、ゴルフパターのシャフト部に自在に着脱できるホルダー（弾力のある円筒状の一部が円周方向で開口しており、その開口部をシャフトに押し付けて取付け、引いて取り外す）を備えたことを特徴とする、着脱式ゴルフボールクリーナー。
【考案の詳細な説明】
【技術分野】
【０００１】本考案は、ゴルフプレイの際、グリーン上でゴルフボールの汚れを拭く布に係わるものであり、効率よくゴルフプレイができるよう形状や使用方法を工夫したものに関する。
【背景技術】
【０００２】従来、キャディーの付かないゴルフプレイの際、グリーン上で拾い上げたボールの汚れを拭く作業はプレイヤー自身が行う。ボールを拭くための布は、主にゴルフ場側が用意し、ゴルフカートのどこかに積んでいる。グリーンに向かう時、プレイヤーの誰かがその布を持って行き、使用が終わると誰かが持って帰る。布の数は一枚か人数に満たない数で、その布をプレイヤーが、手渡しか投げ渡して使い回している。
【考案が解決しようとする課題】
【０００３】グリーン上でボール拭き布は必需品であるにも係わらず、あまり注意が払われておらず不便で効率の悪い使い方をしている。グリーン上では余分な作業をなるべく省いてプレイに専念することが大切であり、自分のペースでプレイを進めることが望ましい。しかし、ボールを拭く作業は、他のプレイヤーとのボール拭き布のやりとりや、置忘れなど、取扱いに注意を払わなければならないといった煩わしさを伴っている。本考案は、プレイヤーがグリーンに向かう際、ボール拭き布をゴルフカートに置忘れることを防ぎ、ボールを拭く作業やボール拭き布の取扱いを簡単にすることを課題とする。
【課題を解決するための手段】
【０００４】そこで、本考案の着脱式ゴルフボールクリーナー１０をパターに取付け使用することにより、課題を解決することができる。プレイの際、未使用時のパターは、ゴルフカートに付帯する一つのパター収納ケース３０を全員で使用することが一般的である。ケースは細長い筒状のもので、収納時のパターは、図３のようにヘッドＨ部分とシャフトＳの一部がケースの外に出る状態となる。ヘッド部分はパターを出し入れする際や、ゴルフカート走行時にぶつかりあうことが多いことに加え、近時のパターヘッドの形状が多種なことから、画一的な物の取付けには不向きであるが、ヘッドに近いシャフト部分は、ヘッドが張出している為ぶつかりにくいことや、シャフトの直径がほぼ一定のパイプ状であることから、この部分に取付けることが最適である。該着脱式ゴルフボールクリーナーのホルダーは、弾力を利用しシャフトを包むように密着して取り付くので、衝撃で回転することはあっても外れにくい。持ち運び時は、シャフトの縦方向にずれることなく取付け部に留まるため支障なく持ち運ぶことができる。又、パター未使用時パターカバーを使用する人と使用しない人がいるが、どちらの場合でも該着脱式ゴルフボールクリーナーを支障無く取付けることができる。
【考案の効果】
【０００５】よって、本考案の着脱式ゴルフボールクリーは、プレイヤーがパットをしている時以外はパターに取付けているので、置忘れを防ぐことができ、プレイヤー各自が使用することにより、ボール拭き布を使い回すといった煩わしさを無くすことができる。又、ホルダーの着脱が極めて簡単なことから、迅速な進行により快適なプレイが促進される。これらの効果によるプレイ時間の短縮は、プレイヤーのみならずゴルフ場の運営にとっても有意義である。
【考案を実施するための最良の形態】
【０００６】本考案に係わる着脱式ゴルフボールクリーナー１０は、ホルダー１の開口部４を、パターシャフトＳに押し付けて取付け、引いて取外す。ホルダー１は、ほどよい弾力のある割れにくいプラスチック素材で形成することが望ましい。ホルダーの内径は、シャフトＳの直径の９０％〜９５％、開口部の幅は、円周の３０％程度が適切だが、それらのサイズは素材の弾力により決めればよい。布２は、水を湿らせて使用するので保水性のあるタオルなどが望ましく、サイズは、一辺の長さが２５ｃｍ程度の正方形が機能的であり見た目もよい。洗濯時は布２とホルダー１を紐部分３で分離することができる。図３は、ゴルフカートに付帯するパター収納ケース３０に、パター２０を収納した状態である。パターはヘッドＨを上にして収納するので、ヘッドＨに近いシャフトＳ部分に、該着脱式ゴルフボールクリーナーを取付けることにより、布２はパター収納ケース３０の外側に垂れ下がり、パターの収納を妨げない。又、この位置にあるためゴルフクラブの汚れ拭きとしても役立つ事となる。
【産業上の利用可能性】
【０００７】該着脱式ゴルフボールクリーナーの取付け位置に当たるシャフトの直径は、殆どのものが９．５ｍｍ程度と一定なことから、ホルダーのサイズは一種類で対応できるため効率よく安価で汎用性の高いものとなる。
【図面の簡単な説明】
【０００８】
【図１】本考案の着脱式ゴルフボールクリーナーをパターに取付けた状態の平面図である。
【図２】本考案の着脱式ゴルフボールクリーナーのホルダー部分の平面図である。
【図３】本考案の着脱式ゴルフボールクリーナーをパターに取付け、ゴルフカートに付帯するパター収納ケースに収納した図である。
【符号の説明】
【０００９】  １    ホルダー
２    布
３    紐
４    開口部
１０    着脱式ゴルフボールクリーナー
２０    パター
３０    パター収納ケース
Ｓ    シャフト
Ｈ    ヘッド
【図１】
0003140889.tif 000003
【図２】
0003140889.tif 000004
【図３】
0003140889.tif 000005
【手続補正書】
【提出日】平成19年11月5日(2007.11.5)
【手続補正１】
【補正対象書類名】明細書
【補正対象項目名】全文
【補正方法】変更
【補正の内容】
【考案の詳細な説明】
【技術分野】
【０００１】本考案は、ゴルフプレイの際、グリーン上でゴルフボールの汚れを拭く布に係わるものであり、効率よくゴルフプレイができるよう形状や使用方法を工夫したものに関する。
【背景技術】
【０００２】従来、キャディーの付かないゴルフプレイの際、グリーン上で拾い上げたボールの汚れを拭く作業はプレイヤー自身が行う。ボールを拭くための布は、主にゴルフ場側が用意し、ゴルフカートのどこかに積んでいる。グリーンに向かう時、プレイヤーの誰かがその布を持って行き、使用が終わると誰かが持って帰る。布の数は一枚か人数に満たない数で、その布をプレイヤーが、手渡しか投げ渡して使い回している。
【考案の開示】
【考案が解決しようとする課題】
【０００３】グリーン上でボール拭き布は必需品であるにも係わらず、あまり注意が払われておらず不便で効率の悪い使い方をしている。グリーン上では余分な作業をなるべく省いてプレイに専念することが大切であり、自分のペースでプレイを進めることが望ましい。しかし、ボールを拭く作業は、他のプレイヤーとのボール拭き布のやりとりや、置忘れなど、取扱いに注意を払わなければならない煩わしさを伴っている。本考案は、プレイヤーがグリーンに向かう際、ボール拭き布をゴルフカートに置忘れることを防ぎ、ボールを拭く作業やボール拭き布の取扱いを簡単にすることを課題とする。
【課題を解決するための手段】
【０００４】そこで、本考案の着脱式ゴルフボールクリーナー１０をパターに取付け使用することにより、課題を解決することができる。プレイの際、未使用時のパターは、ゴルフカートに付帯する一つのパター収納ケース３０を全員で使用することが一般的である。ケースは細長い筒状のもので、収納時のパターは、図３のようにヘッドＨ部分とシャフトＳの一部がケースの外に出る状態となる。ヘッド部分はパターを出し入れする際や、ゴルフカート走行時にぶつかりあうことが多いことに加え、近時のパターヘッドの形状が多種なことから、画一的な物の取付けには不向きであるが、ヘッドに近いシャフト部分は、ヘッドが張出している為ぶつかりにくいことや、シャフトの直径がほぼ一定のパイプ状であることから、この部分に取付けることが最適である。該着脱式ゴルフボールクリーナーのホルダーは、弾力を利用しシャフトを包むように密着して取り付くので、衝撃で回転することはあっても外れにくい。持ち運び時は、シャフトの縦方向にずれることなく取付け部に留まるため支障なく持ち運ぶことができる。又、パター未使用時パターカバーを使用する人と使用しない人がいるが、どちらの場合でも該着脱式ゴルフボールクリーナーを支障無く取付けることができる。
【考案の効果】
【０００５】よって、本考案の着脱式ゴルフボールクリーナーは、プレイヤーがパットをしている時以外はパターに取付けているので、ゴルフカートに置忘れを無くす事ができ、パターに取付けている事が習慣となるため、グリーンで使用後の置忘れも防ぐ事ができる。プレイヤー各自が使用する事によりボール拭き布を使い回す煩わしさを無くす事ができ、グリーン周りで使用するクラブやパターの汚れ拭きとしても役立つ。なによりホルダーの着脱が極めて簡単なことから、迅速な進行により快適なプレイが促進される。これらの効果によるプレイ時間の短縮はプレイヤーのみならずゴルフ場の運営にとっても有意義である。
【考案を実施するための最良の形態】
【０００６】本考案に係わる、図１着脱式ゴルフボールクリーナー１０は、ゴルフボールの汚れを拭くための布を、パター２０のシャフトＳ部に自在に着脱できるホルダー１を備えたことを特徴とするもので、図２ホルダー１の開口部４を、パターシャフトＳに押付けて取付け、引いて取外す。ホルダー１は、ほどよい弾力のある割れにくいプラスチック素材で形成することが望ましい。ホルダー１の内径は、シャフトＳの直径の９０％〜９５％、開口部の幅は、円周の３０％程度が適切だが、それらのサイズは素材の弾力により決めればよい。布２は、水を湿らせて使用するので保水性のあるタオルなどが望ましく、サイズは、一辺の長さが２５ｃｍ程度の正方形が機能的であり見た目もよい。紐３は、ホルダー１と布２を繋ぐもので伸縮の少ないテープ状のものが使い易い、図１では、ホルダーの穴と布の穴にリング状に取付けているが、布側は穴ではなく縫い付けてもよい。図３は、ゴルフカートに付帯するパター収納ケース３０に、パター２０を収納した状態である。パターはヘッドＨを上にして収納するので、ヘッドＨに近いシャフトＳ部分に、該着脱式ゴルフボールクリーナーを取付けることにより、布２はパター収納ケース３０の外側に垂れ下がり、パターの収納を妨げない。又、この位置にあることによりゴルフクラブの汚れ拭きとしても役立つ事になる。
【産業上の利用可能性】
【０００７】該着脱式ゴルフボールクリーナーの取付け位置に当たるシャフトの直径は、殆どのものが９．５ｍｍ程度と一定なことから、ホルダーのサイズは一種類で対応できるため、効率よく安価で汎用性の高いものとなる。
【図面の簡単な説明】
【０００８】
【図１】本考案の着脱式ゴルフボールクリーナーをパターに取付けた状態の平面図である。
【図２】本考案の着脱式ゴルフボールクリーナーのホルダー部分の平面図である。（図１を水平方向に９０度回転した向）
【図３】本考案の着脱式ゴルフボールクリーナーをパターに取付け、ゴルフカートに付帯するパター収納ケースに収納した状態の図である。
【符号の説明】
【０００９】  １      ホルダー
２      布
３      紐
４      開口部
１０      着脱式ゴルフボールクリーナー
２０      パター
３０      パター収納ケース
Ｓ      シャフト
Ｈ      ヘッド
【手続補正２】
【補正対象書類名】図面
【補正対象項目名】全図
【補正方法】変更
【補正の内容】
【図１】
0003140889.tif 000006
【図２】
0003140889.tif 000007
【図３】
0003140889.tif 000008
【手続補正書】
【提出日】平成20年1月9日(2008.1.9)
【手続補正１】
【補正対象書類名】実用新案登録請求の範囲
【補正対象項目名】全文
【補正方法】変更
【補正の内容】
【実用新案登録請求の範囲】
【請求項１】
ゴルフボールの汚れを拭くための布と、その布を、ゴルフパターのシャフト部に自在に着脱できるホルダーを備えたことを特徴とする、着脱式ゴルフボールクリーナー。